(57)【特許請求の範囲】
【請求項１】
車両外部からバッテリへ電力の補充を行うことなく、該バッテリの電力で作動するモータを動力源として該車両が走行可能と推定される距離である走行可能距離を、該車両内の表示部に表示する車載用表示装置であって、
前記バッテリに蓄電された電力量である残存電力量を取得する残存電力量取得部と、
その時点の操作入力に応じた電力負荷の大きさを示す負荷情報を取得する負荷取得部と、
前記バッテリの電力を受電可能な補機が該バッテリに与える電力負荷を、操作入力に応じた可変範囲内で最大とした場合に、前記残存電力量で走行可能と推定される最小走行可能距離と、該電力負荷を該可変範囲内で最小とした場合に、該残存電力量で走行可能と推定される最大走行可能距離と、前記負荷情報に示される前記電力負荷において、該残存電力量で走行可能と推定される瞬時走行可能距離と、該電力負荷を最小とした場合に、該バッテリが満充電となっているときの該残存電力量で走行可能と推定される満充電走行可能距離とを導出する距離導出部と、
前記最小走行可能距離、前記最大走行可能距離、および、前記瞬時走行可能距離を前記表示部に表示させる表示制御部と、
を備え、
前記表示制御部は、前記最小走行可能距離、および、前記最大走行可能距離を示す表示対象に対し、前記瞬時走行可能距離を示す表示対象を小さく表示し、かつ、該最大走行可能距離、該最小走行可能距離、および、前記満充電走行可能距離を、相対的に長さを比較して視認可能な図形で表示するとともに、該図形に付された目盛最大値によって該満充電走行可能距離を示し、該満充電走行可能距離が変化して該目盛最大値が変更されると、該目盛最大値の変更に合わせて、該最大走行可能距離、該最小走行可能距離を示す図形を変更して示すことを特徴とする車載用表示装置。
【請求項２】
前記表示制御部は、前記最大走行可能距離と前記最小走行可能距離それぞれについて、相対的に長さを比較して視認可能な図形を、前記表示部に表示させることを特徴とする請求項１に記載の車載用表示装置。
【発明の詳細な説明】
【技術分野】
【０００１】
本発明は、バッテリの残存電力量で走行可能と推定される走行可能距離を導出および表示する車載用表示装置に関する。
【背景技術】
【０００２】
近年、バッテリを搭載しバッテリの電力でモータを駆動して走行する電気自動車が普及し始めている。このような車両において、バッテリの残存電力量で走行可能と推定される走行可能距離を導出し、車載ディスプレイなどの表示部に表示させる技術が提案されている（例えば、特許文献１、２）。
【０００３】
特許文献１では、所定期間ごとの消費電力の積算値を学習し、その学習履歴に基づいて走行可能距離を導出して表示部に表示する技術が記載されている。この技術では、駆動モータで消費した電力と、駆動モータ以外で消費した電力を分けて学習することで、例えば、エアコンなどの補機の電源をオフにしたときに、ただちに、その補機による影響を差し引き、その時点における適切な走行可能距離が導出される。また、特許文献２では、補機の使用状態を標準としたときに推定される標準走行可能距離と、補機の使用状態を全負荷としたときに推定される全負荷走行可能距離とを、併せて表示部に表示する技術が記載されている。
【先行技術文献】
【特許文献】
【０００４】
【特許文献１】特開２０１２−２２２８７６号公報
【特許文献２】特開２０１２−２０５４７０号公報
【発明の概要】
【発明が解決しようとする課題】
【０００５】
上述した特許文献１に記載されている技術では、エアコンのオンオフの切り換えといったような補機の使用状態が変更されると、その度に走行可能距離が頻繁に変更される。その結果、車両の搭乗者に煩わしさを感じさせてしまう可能性がある。その上、補機による消費電力が最大となるときに、走行可能距離がどの程度まで短縮してしまうのかを、例えば、エアコンの出力を最大まで高めるなど、実際に補機を操作してみなければ把握できない。
【０００６】
また、特許文献２に記載されている技術では、標準走行可能距離と全負荷走行可能距離とが併せて表示される。しかし、補機の利用を最小限に留め消費電力が最小となるとき、走行可能距離がどの程度まで延長されるのかを、例えば、エアコンの電源を切るなど、実際に補機を操作してみなければ把握できない。
【０００７】
そこで、本発明は、補機の消費電力が変化しても、走行可能距離の表示が頻繁に変化するといった煩わしさを解消し、所望する走行可能距離を容易かつ一度に把握可能な車載用表示装置を提供することを目的とする。
【課題を解決するための手段】
【０００８】
上記課題を解決するために、本発明の車載用表示装置は、車両外部からバッテリへ電力の補充を行うことなく、バッテリの電力で作動するモータを動力源として車両が走行可能と推定される距離である走行可能距離を、車両内の表示部に表示する車載用表示装置であって、バッテリに蓄電された電力量である残存電力量を取得する残存電力量取得部と、その時点の操作入力に応じた電力負荷の大きさを示す負荷情報を取得する負荷取得部と、バッテリの電力を受電可能な補機がバッテリに与える電力負荷を、操作入力に応じた可変範囲内で最大とした場合に、残存電力量で走行可能と推定される最小走行可能距離と、電力負荷を可変範囲内で最小とした場合に、残存電力量で走行可能と推定される最大走行可能距離と、負荷情報に示される電力負荷において、残存電力量で走行可能と推定される瞬時走行可能距離と、電力負荷を最小とした場合に、バッテリが満充電となっているときの残存電力量で走行可能と推定される満充電走行可能距離とを導出する距離導出部と、最小走行可能距離、最大走行可能距離、および、瞬時走行可能距離を表示部に表示させる表示制御部と、を備え、表示制御部は、最小走行可能距離、および、最大走行可能距離を示す表示対象に対し、瞬時走行可能距離を示す表示対象を小さく表示し、かつ、最大走行可能距離、最小走行可能距離、および、満充電走行可能距離を、相対的に長さを比較して視認可能な図形で表示するとともに、図形に付された目盛最大値によって満充電走行可能距離を示し、満充電走行可能距離が変化して目盛最大値が変更されると、目盛最大値の変更に合わせて、最大走行可能距離、最小走行可能距離を示す図形を変更して示すことを特徴とする。
【０００９】
表示制御部は、最大走行可能距離と最小走行可能距離それぞれについて、相対的に長さを比較して視認可能な図形を、表示部に表示させてもよい。
【発明の効果】
【００１２】
本発明によれば、補機の消費電力が変化しても、走行可能距離の表示が頻繁に変化するといった煩わしさを解消し、所望する走行可能距離を容易かつ一度に把握することができる。
【図面の簡単な説明】
【００１３】
【図１】電気自動車の構成を示す図である。
【図２】走行可能距離導出表示処理の流れを示すフローチャートである。
【図３】設定項目に関する補正乗数の一例を説明するための説明図である。
【図４】補機に関する補正乗数を説明するための説明図である。
【図５】走行可能距離の表示例を示す図である。
【図６】変形例の走行可能距離の表示例を示す図である。
【発明を実施するための形態】
【００１４】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
図１は、電気自動車１（車両）の構成を示す図である。図１に示すように、電気自動車１は、車輪２がギヤを介して駆動モータ３に接続される。駆動モータ３は、インバータ４を介して駆動用バッテリ５に接続され、駆動用バッテリ５から供給される電力により回転する。電気自動車１は、駆動モータ３を通じた車輪２の回転に伴って走行する。
【００１６】
空調装置６（エアコン）は、駆動モータ３同様、駆動用バッテリ５に接続され、駆動用バッテリ５からの直流電力によって駆動し、車両内の空気の温度などを調整する。
【００１７】
ＤＣ／ＤＣコンバータ７は、駆動用バッテリ５に接続され、駆動用バッテリ５からの直流電力の電圧を変換し、補助装置８および補助装置８のための専用バッテリである補助バッテリ９に供給する。本実施形態では、駆動モータ３を除く、駆動用バッテリ５の電力を受電可能な装置を補機と呼称する。また、補機のうち、空調装置６を除く装置を補助装置８と称する。
【００１８】
電圧センサ１０は、駆動用バッテリ５の電圧を検出し、電圧を示す信号を後述する制御装置１６に出力する。電流センサ１１は、駆動用バッテリ５の電流を検出し、電流を示す信号を制御装置１６に出力する。温度センサ１２は、駆動用バッテリ５の温度を検出し、温度を示す信号を制御装置１６に出力する。
【００１９】
車輪回転数センサ１３は、例えばレゾルバでなり、車輪２の回転数を検出し、回転数を示す信号を制御装置１６に出力する。
【００２０】
表示部１４は、電気自動車１のダッシュボードなどに搭載されたデジタルメータ用、または、カーナビゲーション用のディスプレイ（モニタ）、液晶ディスプレイ、有機ＥＬ(Electro Luminescence)ディスプレイなどで構成され、後述する表示制御部２３の制御に応じて画像を表示する。
【００２１】
操作部１５は、操作キー、十字キー、表示部１４の表示面に重畳されたタッチパネル、リモートコントローラ等で構成され、運転者を含む搭乗者の操作入力を受け付け、操作入力の内容を示す信号を制御装置１６に出力する。
【００２２】
制御装置１６は、ＣＰＵ（Central Processing Unit）、ＲＡＭ（Random Access Memory）、ＲＯＭ（Read Only Memory）を含むマイクロコンピュータでなり、各部を統括制御する。制御装置１６は、電圧センサ１０、電流センサ１１、温度センサ１２、車輪回転数センサ１３、操作部１５それぞれに接続され、各センサ（１０〜１３）および操作部１５で検出された情報を示す信号が入力される。また、制御装置１６は、インバータ４と接続されており、各センサ（１０〜１３）および操作部１５から入力される信号などに基づいて、インバータ４を介して駆動モータ３の駆動を制御する。
【００２３】
また、表示部１４、操作部１５、および、制御装置１６は、走行可能距離を導出および表示する車載用表示装置１７を構成する。ここで、走行可能距離は、一旦、駆動用バッテリ５に電力を補充した後、電気自動車１の外部から駆動用バッテリ５へ電力の補充を行うことなく、駆動モータ３を動力源として電気自動車１が走行可能と推定される距離である。
【００２４】
制御装置１６は、ＲＯＭに格納されたプログラムをＲＡＭに展開して、走行可能距離導出表示処理を実行し、残存電力量取得部２０、距離導出部２１、負荷取得部２２、表示制御部２３として機能する。以下、フローチャートを参照しながら、制御装置１６の各機能部の処理について詳述する。
【００２５】
図２は、走行可能距離導出表示処理の流れを示すフローチャートである。図２に示す走行可能距離導出表示処理は、所定時間ごとに繰り返し実行される。図２に示すように、残存電力量取得部２０は、駆動用バッテリ５の満充電状態に対する残存電力量の百分率で表されるＳＯＣ（State Of Charge）を導出する。ＳＯＣは、電流センサ１１および電圧センサ１０からの信号に基づき、電流積算および開回路電圧（open circuit voltage）による電圧推定などで導出される。
【００２６】
そして、残存電力量取得部２０は、導出されたＳＯＣと、ＳＯＣが０％となるまでの駆動用バッテリ５の平均電圧と、ＳＯＣが１００％となっているときの電流容量とを乗算する（Ｓ１００）。この乗算結果が残存電力量となる。こうして、残存電力量取得部２０は、駆動用バッテリ５に蓄電された電力量である残存電力量を取得する。
【００２７】
続いて、残存電力量取得部２０は、電気自動車１の走行状態を維持可能な電力量の下限値を、残存電力量から減算して、使用可能電力量αを導出する（Ｓ１０２）。
【００２８】
そして、距離導出部２１は、最小走行可能距離を導出し（Ｓ１０４）、さらに、最大走行可能距離を導出する（Ｓ１０６）。電気自動車１の走行可能距離は、補機（空調装置６および補助装置８）の使用状態によって増減する。そのため、距離導出部２１は、補機による電力消費のパターン別に、最小走行可能距離と最大走行可能距離をそれぞれ導出している。
【００２９】
具体的に、搭乗者による補機への操作入力に応じて、補機が駆動用バッテリ５に与える電力負荷を最大となるように設定したとの仮定で、残存電力量に基づいて導出される走行可能距離を最小走行可能距離とする。すなわち、最小走行可能距離は、補機が駆動用バッテリ５に与える電力負荷を、操作入力に応じた可変範囲内で最大とした場合に、残存電力量で走行可能と推定される走行可能距離となる。
【００３０】
また、搭乗者による補機への操作入力に応じて、補機が駆動用バッテリ５に与える電力負荷を最小とするように設定したとの仮定で、残存電力量に基づいて導出される走行可能距離を最大走行可能距離とする。すなわち、最大走行可能距離は、補機が駆動用バッテリ５に与える電力負荷を、操作入力に応じた可変範囲内で最小とした場合に、残存電力量で走行可能と推定される走行可能距離となる。
【００３１】
電気自動車１の標準的な電費は、補機が駆動用バッテリ５に与える電力負荷について、可変範囲内で最大とした場合、および、可変範囲内で最小とした場合、それぞれについて、予め設定されている。電力負荷を最大とした場合における電費を低効率電費ｘ、電力負荷を最小とした場合における電費を高効率電費ｙとする。電費は、電力量当たりの走行距離であって、単位は、例えば、ｋｍ／ｋＷｈである。
【００３２】
また、走行可能距離には、平均車速、乗車人数、および、道路の斜度などの影響を受ける。そこで、搭乗者が、例えば、電気自動車１の走行前にこれらの条件を特定するための設定項目を入力しておくことで、走行可能距離の導出精度が向上する。
【００３３】
図３は、設定項目に関する補正乗数の一例を説明するための説明図である。図３（ａ）〜（ｃ）に示すように、平均車速、乗車人数、および、道路の斜度それぞれについて、補正乗数である乗数Ａ、乗数Ｂ、乗数Ｃが特定される。
【００３４】
乗数Ａは、最も電費のよい平均車速のときに１となって、このときの平均車速よりも平均車速が速くなるほど漸減するとともに遅くなるほど漸減する。乗数Ｂは、乗車人数が１人のときに１となって、乗車人数が増える毎に小さくなる。乗数Ｃは、斜度が０、すなわち平坦路のときに１となって、斜度が０より大きくなる（上り傾斜となる）と１より小さくなり、斜度が０より小さくなる（下り傾斜となる）と１より大きくなる。
【００３５】
距離導出部２１は、使用可能電力量α、低効率電費ｘ、乗数Ａ、乗数Ｂ、乗数Ｃを乗算することで、上述した最小走行可能距離を導出する。また、距離導出部２１は、使用可能電力量α、高効率電費ｙ、乗数Ａ、乗数Ｂ、乗数Ｃを乗算することで、上述した最大走行可能距離を導出する。
【００３６】
そして、距離導出部２１は、満充電走行可能距離を導出する（Ｓ１０８）。満充電走行可能距離は、電力負荷を最小とした場合に、駆動用バッテリ５が満充電となっているときの残存電力量で走行可能と推定される走行可能距離となる。
【００３７】
また、満充電走行可能距離は、駆動用バッテリ５の容量維持率に比例する。容量維持率は、駆動用バッテリ５の製造後の初期に測定された満充電容量に対する、直近に（最後に）駆動用バッテリ５を充電したときの満充電容量の百分率で表される。
【００３８】
満充電容量は、駆動用バッテリ５の充電中の電流の積算値を、駆動用バッテリ５の充電前後のＳＯＣの差分で除算して導出される。駆動用バッテリ５が経時により劣化して容量維持率が徐々に低下すると、満充電走行可能距離が低下することとなる。
【００３９】
負荷取得部２２は、駆動用バッテリ５および補助装置８から、その時点の操作入力に応じた電力負荷の大きさを示す負荷情報を取得する（Ｓ１１０）。ここで、負荷情報は、補機の電力消費の状態を示す情報である。具体的には、空調装置６の出力、ワイパーの速度、ミラーやウィンドウの結露を除去する装置であるデフォッガの作動状態、ライトの点灯状態などが負荷情報に含まれる。ここで、ワイパー、デフォッガ、ライトは補助装置８の一例である。これらの負荷情報について、補機に関する補正乗数である乗数Ｄ、乗数Ｅ、乗数Ｆ、乗数Ｇが特定される。
【００４０】
図４は、補機に関する補正乗数を説明するための説明図である。図４（ａ）に示すように、乗数Ｄは、空調装置６の出力が０のときに１となって、空調装置６の出力が上昇するほど小さくなる。
【００４１】
また、図４（ｂ）に示すように、乗数Ｅは、ワイパーの速度が０のときに１となって、ワイパーの速度が上昇するほど小さくなる。不図示の乗数Ｆは、デフォッガがオフのとき１となって、デフォッガがオンとなると１より小さい値になる。さらに、不図示の乗数Ｇは、ライトがオフのとき１となって、ライトがオンとなると１より小さい値になる。
【００４２】
上述した低効率電費ｘは、高効率電費ｙに補機に関する補正乗数（乗数Ｄ、乗数Ｅ、乗数Ｆ、乗数Ｇ）それぞれの最低値を全て乗算した値となっている。
【００４３】
距離導出部２１は、負荷情報に示される電力負荷において、残存電力量で走行可能と推定される走行可能距離である瞬時走行可能距離を導出する（Ｓ１１２）。
【００４４】
具体的には、距離導出部２１は、使用可能電力量α、高効率電費ｙ、乗数Ａ、乗数Ｂ、乗数Ｃ、乗数Ｄ、乗数Ｅ、乗数Ｆ、乗数Ｇを乗算することで、瞬時走行可能距離を導出する。
【００４５】
瞬時走行可能距離は、補機による電力消費が最小となる状態の走行可能距離である最大走行可能距離に対し、補正乗数である乗数Ｄ、乗数Ｅ、乗数Ｆ、乗数Ｇについて、それぞれ最新の値を乗算することで、補機による実際の電力消費の影響が加味された走行可能距離である。
【００４６】
そのため、ワイパーを作動または停止させる操作などによって、補機の電力消費の状態が変化すると、補機の電力消費の影響が、直ちに瞬時走行可能距離に反映されることとなる。このとき、瞬時走行可能距離は、最小走行可能距離以上、最大走行可能距離以下の値となる。
【００４７】
表示制御部２３は、導出された各走行可能距離（最小走行可能距離、最大走行可能距離、満充電走行可能距離、瞬時走行可能距離）それぞれについて、相対的に長さを比較して視認可能な図形の画像データを生成する（Ｓ１１４）。そして、表示制御部２３は、生成した画像データに基づく画像を表示部１４に表示させ（Ｓ１１６）、当該走行可能距離導出表示処理を終了する。
【００４８】
図５は、走行可能距離の表示例を示す図である。表示制御部２３は、図５に示すように、長方形の領域Ｈと、三角形の領域Ｉと、台形の領域Ｊで構成されるバーグラフの画像データを生成し、表示部１４に表示させる。ここで示すバーグラフは一例であって、各走行可能距離を把握できれば、どのような態様で表示部１４に表示させてもよい。
【００４９】
図５において、目盛をふって示すように、バーグラフの左端は走行可能距離が０ｋｍであることを示す位置であって、図５中、右端に向かうほど走行可能距離が長い位置を示している。
【００５０】
図５に示すように、領域Ｊの右端の位置３０は、満充電走行可能距離を示し、図５（ａ）では、例えば、２００ｋｍとなっている。すなわち、駆動用バッテリ５を満充電にして、かつ、補機による電力消費を最小とすれば、走行可能距離が２００ｋｍとなることを表す。
【００５１】
また、領域Ｈの右端の位置３１は、最小走行可能距離を示し、図５（ａ）では１００ｋｍとなっている。すなわち、補機による電力消費を最大とすれば、走行可能距離が１００ｋｍとなることを表す。
【００５２】
領域Ｉの右端の頂点の位置３２は、最大走行可能距離を示し、図５（ａ）では大凡１５５ｋｍとなっている。すなわち、補機による電力消費を最小とすれば、走行可能距離が１５５ｋｍとなることを表す。
【００５３】
このように、表示制御部２３は、最大走行可能距離と最小走行可能距離を表示部１４に表示させる。そのため、最大走行可能距離と最小走行可能距離を容易に把握することが可能となる。
【００５４】
また、最大走行可能距離と最小走行可能距離は、相対的に比較して視認可能なバーグラフなどの図形で表されており、補機による電力消費を抑えた場合の効果や、補機による電力消費が最大となる場合の走行可能距離の減少幅が視覚的に理解しやすい。
【００５５】
さらに、表示制御部２３は、図５に示すように、最大走行可能距離、最小走行可能距離に加えて、満充電走行可能距離についても、表示部１４に表示させている。そのため、最大走行可能距離、最小走行可能距離に併せて、満充電走行可能距離を容易に把握することが可能となる。
【００５６】
また、最大走行可能距離、最小走行可能距離、および、満充電走行可能距離について、相対的に長さを比較して視認可能な図形（バーグラフ）で表されている。そのため、満充電走行可能距離に対する、最大走行可能距離や最小走行可能距離の比率が視覚的に理解しやすい。
【００５７】
最大走行可能距離、最小走行可能距離、および、満充電走行可能距離は、変化の頻度が極めて低いことから、走行可能距離の表示が頻繁に変化するといった煩わしさを解消することができる。
【００５８】
領域Ｉと領域Ｊの境界線上であって、最小走行可能距離を示す位置３１の下端と最大走行可能距離を示す位置３２とを繋ぐ直線上には星形のオブジェクトが配される。このオブジェクトが配された位置３３は、瞬時走行可能距離を示し、例えば、図５（ａ）では大凡１２０ｋｍとなっている。すなわち、補機による電力消費を大凡同じ値に維持し続ける前提で、走行可能距離が１２０ｋｍとなることを表す。
【００５９】
ここで、例えば、搭乗者が空調装置６の設定温度を変更するなどして空調装置６の出力が低下すると、乗数Ｄが１に近づく。その結果、瞬時走行可能距離が延び、図５（ｂ）に示すように、星形のオブジェクトが領域Ｉと領域Ｊの境界線上を右上側に移動することとなる。
【００６０】
また、例えば、降雨が発生するなどして搭乗者がワイパーをオンすると、ワイパーの速度に応じて乗数Ｅが１よりも小さい値となる。その結果、瞬時走行可能距離が低下して、図５（ｃ）に示すように、星形のオブジェクトが領域Ｉと領域Ｊの境界線上を左下側に移動することとなる。
【００６１】
このように、表示制御部２３は、最大走行可能距離、最小走行可能距離に加えて、瞬時走行可能距離についても表示部１４に表示させている。そのため、最大走行可能距離、最小走行可能距離に併せて、瞬時走行可能距離を容易に把握することが可能となる。
【００６２】
また、瞬時走行可能距離は、星形のオブジェクトの位置３３として示され、最小走行可能距離、最大走行可能距離それぞれに対応する位置３１、３２に対して、バーグラフの左端からの長さを比較できる。このように、表示制御部２３は、最大走行可能距離、最小走行可能距離、および、瞬時走行可能距離それぞれについて、相対的に長さを比較して視認可能な図形を、表示部１４に表示させている。
【００６３】
そのため、最大走行可能距離と最小走行可能距離との間で、瞬時走行可能距離がどの位置にあるのかを視覚的に理解しやすい。また、補機の消費電力が変化したとき、領域Ｈ、領域Ｉ、領域Ｊは変化せず、領域Ｈ、領域Ｉ、領域Ｊに比べて、相対的に小さな星形のオブジェクトの移動によって、瞬時走行可能距離に補機の消費電力の変化が反映される。そのため、瞬時走行可能距離に応じてバーグラフ全体が変化する場合に比べ、煩わしさを抑えつつ、瞬時走行可能距離を把握することが可能となる。
【００６４】
また、図５（ｄ）に示すように、電気自動車１が走行するなどして駆動用バッテリ５の残存電力量が低下すると、最大走行可能距離、最小走行可能距離、および、瞬時走行可能距離が低下することとなる。
【００６５】
さらに、経年劣化などによって、駆動用バッテリ５の容量維持率が低下すると、満充電走行可能距離が低下する。例えば、満充電走行可能距離が２００ｋｍから１９０ｋｍに低下すると、図５（ｅ）に示すように、バーグラフの右端の目盛が１９０ｋｍに変更され、それに合わせて０ｋｍから１９０ｋｍまでの目盛の位置が変更される。
【００６６】
そして、目盛の変更に合せて、最大走行可能距離、最小走行可能距離、および、瞬時走行可能距離に対応する各位置３１、３２、３３が設定されてバーグラフが描画されることとなる。
【００６７】
また、最大走行可能距離、最小走行可能距離、および、満充電走行可能距離は、瞬時走行可能距離に比べ、変化の速度が遅い。そのため、図５（ｄ）に示すような領域Ｈ、領域Ｉ、領域Ｊの変化、および、図５（ｅ）に示すような目盛の位置の変更は、星形のオブジェクトの位置３３の変化に比べて、極めて緩慢であることから、煩わしさを感じ難い。
【００６８】
上述したように、本実施形態の車載用表示装置１７によれば、補機の消費電力が変化しても、走行可能距離の表示が頻繁に変化するといった煩わしさを解消し、所望する走行可能距離を容易かつ一度に把握することが可能となる。
【００６９】
図６は、変形例の走行可能距離の表示例を示す図である。図６（ａ）に示すように、表示制御部２３は、表示部１４に瞬時走行可能距離を表示せず、最大走行可能距離、最小走行可能距離、および、満充電走行可能距離のみを表示させてもよい。この場合、星形のオブジェクトが描かれておらず、補機の消費電力の変化によっては、バーグラフが変化しない。
【００７０】
例えば、瞬時走行可能距離を把握する必要性が低い場合、補機の消費電力を抑えたときの最大走行可能距離と、補機の消費電力を抑えなかったときの最小走行可能距離を容易に把握することが可能となる。
【００７１】
また、図６（ｂ）に示すように、領域Ｉと領域Ｊの境界線上に、表示態様の異なる複数の星形のオブジェクトを配してもよい。これらの星形のオブジェクトのうち、例えば、実線の輪郭線で描かれる星形のオブジェクトの位置３３が、最新の瞬時走行可能距離を示し、破線の輪郭線で描かれる星形のオブジェクトの位置３４、３５が、過去の瞬時走行可能距離の履歴を示す。
【００７２】
そして、過去の瞬時走行可能距離の履歴について、瞬時走行可能距離が大凡同じ値に、比較的、長時間に亘って維持されると、その瞬時走行可能距離に対応する星形のオブジェクトは、色の濃度が濃く描かれる。また、瞬時走行可能距離が大凡同じ値に、比較的、短時間しか維持されていない場合、その瞬時走行可能距離に対応する星形のオブジェクトは、色の濃度が薄く描かれる。すなわち、星形のオブジェクトは、瞬時走行可能距離が対象の値に維持されていた時間が長い程、色の濃度が濃く描かれることとなる。
【００７３】
このように、複数の星形のオブジェクトを配することで、星形のオブジェクトの位置３４、３５から、過去の瞬時走行可能距離の履歴を把握できる。その上、複数の星形のオブジェクトの濃度から、それぞれの位置３４、３５に対応する瞬時走行可能距離が導出されていた期間の長短の関係を把握可能となる。
【００７４】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００７５】
例えば、上述した実施形態および変形例では、満充電走行可能距離を導出して表示する場合について説明したが、満充電走行可能距離の導出および表示は必須ではない。
【００７６】
また、上述した実施形態および変形例では、各走行可能距離をバーグラフなどの図形を用いて表示する場合について説明したが、各走行可能距離のうち、いずれか１つ、または複数を、図形を用いずに数字などの文字で表示してもよい。
【００７７】
また、上述した実施形態および変形例では、負荷取得部２２は、駆動用バッテリ５および補助装置８から、その時点の操作入力に応じた電力負荷の大きさを示す負荷情報を取得し、距離導出部２１は、負荷情報に応じて特定される補正乗数を乗算して瞬時走行可能距離が導出される場合について説明した。しかし、負荷取得部２２は、負荷情報として、電圧センサ１０および電流センサ１１からの信号を用いてもよい。この場合、負荷取得部２２は、両信号によって駆動用バッテリ５から出力される単位時間当たりの電力量を導出する。そして、距離導出部２１は、単位時間当たりの走行距離を単位時間当たりの電力量で除算して瞬時電費ｚを導出し、使用可能電力量α、瞬時電費ｚ、乗数Ａ、乗数Ｂ、および、乗数Ｃを乗算することで瞬時走行可能距離を導出する。
【産業上の利用可能性】
【００７８】
本発明は、バッテリの残存電力量で走行可能と推定される走行可能距離を導出および表示する車載用表示装置に利用できる。
【符号の説明】
【００７９】
１  電気自動車（車両）
５  駆動用バッテリ（バッテリ）
６  空調装置（補機）
８  補助装置（補機）
１４  表示部
１７  車載用表示装置
２０  残存電力量取得部
２１  距離導出部
２２  負荷取得部
２３  表示制御部
【図１】
0005845220.tif 000002
【図２】
0005845220.tif 000003
【図３】
0005845220.tif 000004
【図４】
0005845220.tif 000005
【図５】
0005845220.tif 000006
【図６】
0005845220.tif 000007